(57)【要約】      （修正有）【課題】よりよい照明効果を形成するＬＥＤ投射灯放熱口金を提供する。【解決手段】ＬＥＤ投射灯放熱口金は、放熱チューブ１と、ヒートシンク組２と、放熱トレイ３と、ランプシェード４とを備える。ヒートシンク組２は、複数のヒートシンク２１が周方向に密に設けられ、放熱チューブ１に結合している。放熱チューブ１の一端と放熱トレイ３とは、互いに対応し密着結合している。この密着結合を利用し、幅の広い内部設置面を形成し、より多い複数のＬＥＤ発光ユニットを載せて結合することができる。放熱トレイ３は、さらに、ランプシェード４が取り付けられ、より多いＬＥＤ発光ユニットを載せて結合可能なＬＥＤ投射灯放熱口金を形成することができる。これにより、より良い照明効果を形成する。【選択図】図１
0003172500.tif 000002
【実用新案登録請求の範囲】
【請求項１】
管体の外周壁に複数の取付溝が設けられる放熱チューブと、
複数のヒートシンクが周方向に密に設けられ、かつ前記放熱チューブの外周壁の前記取付溝に挿着し結合しているヒートシンク組と、
皿状に形成され、前記放熱チューブの一端と互いに対応して密着を形成し、かつ幅の広い内部設置面を有する放熱トレイと、
透光性を有し、前記放熱トレイにかぶせて結合されているランプシェードと、
を備えるＬＥＤ投射灯放熱口金であって、
前記放熱チューブの一端と前記放熱トレイとを結合して幅の広い前記内部設置面を構成し、複数のＬＥＤ発光ユニットを載せて結合することを特徴とするＬＥＤ投射灯放熱口金。
【請求項２】
前記放熱チューブの一端は、階段突起部が形成され、
前記放熱トレイには、前記階段突起部に合わせて、センタ穴が設けられ、
前記放熱チューブの前記階段突起部と前記センタ穴とが互いに対応し、前記放熱トレイの密着を形成することを特徴とする請求項１記載のＬＥＤ投射灯放熱口金。
【請求項３】
前記放熱チューブは、前記階段突起部に複数のケーブル通し穴が開けられていることを特徴とする請求項２記載のＬＥＤ投射灯放熱口金。
【請求項４】
前記ヒートシンク組の前記ヒートシンクが前記放熱トレイの底面に接触する場所は、垂直状の折り畳みシートが設けられていることを特徴とする請求項１記載のＬＥＤ投射灯放熱口金。
【請求項５】
前記折り畳みシートは、環状に設けられてリング面を形成することを特徴とする請求項４記載のＬＥＤ投射灯放熱口金。
【請求項６】
前記放熱トレイに設けられる前記センタ穴の底面は、延在する環状壁が合わせて設けられ、かつ前記放熱チューブと密着を形成することを特徴とする請求項２記載のＬＥＤ投射灯放熱口金。
【請求項７】
前記放熱トレイと前記ランプシェードとは、それぞれ対応する嵌め込み構造が設けられ、前記ランプシェードを前記放熱トレイに密着させることを特徴とする請求項１記載のＬＥＤ投射灯放熱口金。
【請求項８】
前記放熱トレイの底部には、中央突起部が設けられ、
前記放熱チューブの一端は、対向するくり抜き部が設けられ、
前記放熱トレイの前記中央突起部と前記放熱チューブが対向する前記くり抜き部とが互いに対応し、前記放熱トレイと前記放熱チューブとの密着を形成することを特徴とする請求項１記載のＬＥＤ投射灯放熱口金。
【請求項９】
前記放熱トレイの側壁の内面と前記ランプシェードが接続する側壁とは、それぞれ対応された嵌め接ぎ構造が設けられ、前記放熱トレイと前記ランプシェードとを接着剤によって結合することを特徴とする請求項１記載のＬＥＤ投射灯放熱口金。
【請求項１０】
前記放熱チューブの後部端に電気コネクタを挿着してＬＥＤ投射灯を組み合わせることを特徴とする請求項１記載のＬＥＤ投射灯放熱口金。
【考案の詳細な説明】
【技術分野】
【０００１】
本考案は、ＬＥＤ投射灯放熱口金に関する。
【背景技術】
【０００２】
ＬＥＤ投射灯具は、低消費電力の特性を有する一方、ＬＥＤ発光ユニットの耐熱性が低い。よって、高温放熱の問題を解決する必要がある。従来、ＬＥＤ灯具に使用されている放熱口金の放熱効果が悪いことから、加熱を防止するため、多数のＬＥＤ発光ユニットの取り付けが不向きであり、低照明度の照明しか提供できない。
【０００３】
従来のＬＥＤ投射灯具は、主に、放熱口金と、ＬＥＤ発光ユニットと、電気コネクタと、を備える。電気絶縁効果を実現するため、電気コネクタは、絶縁ブッシングと組み合わせて、放熱口金の内壁に隔設されている。しかし、従来の放熱口金の構造は、モールド成形されており、台外壁の放熱フィンとも金属製の一体成形であるため、放熱ケーシングが重く、かつ放熱フィンの数もかぎられており、密な分布を形成することはできず、放熱効果も期待できないため、ＬＥＤ灯具は、重くて、コストも高い。
【０００４】
またはヒートシンクを密に分布させ、放熱チューブに挿着して、放熱ケーシングを構成する。しかし、この種の放熱ケーシングは、放熱チューブの管径が小さく、実際にＬＥＤ発光ユニットを収容し載せる空間面積もかなり狭いので、限られた数のＬＥＤ発光ユニットしか取り付けることができず、提供される照明効果も理想と言えない。
【考案の概要】
【考案が解決しようとする課題】
【０００５】
本考案の主な目的は、よりよい照明効果を形成するＬＥＤ投射灯放熱口金の構造設計を提供する。
【課題を解決するための手段】
【０００６】
本考案のＬＥＤ投射灯放熱口金は、主に、放熱チューブと、ヒートシンク組と、放熱トレイと、ランプシェードと、を備える。ヒートシンク組は、複数のヒートシンクが周方向に密に設けられ、放熱チューブに結合している。放熱チューブの一端と放熱トレイとは、互いに対応し密着結合している。この密着結合を利用し、幅の広い内部設置面を形成し、より多い複数のＬＥＤ発光ユニット載せて結合することができる。放熱トレイは、さらに、ランプシェードが取り付けられ、より多いＬＥＤ発光ユニットを載せて結合可能なＬＥＤ投射灯放熱口金を形成することができる。これにより、より良い照明効果を形成する。
【０００７】
放熱チューブの一端には、階段突起部が形成される。放熱トレイは、放熱チューブに合わせて階段突起部に対応するセンタ穴が開けられ、互いに対応する密着を形成する。これにより、放熱チューブと放熱トレイとの結合をすばやく完成できるほか、幅の広い内部設置面を構成することができる。
【０００８】
放熱トレイの底部には、中央突起部が形成される。放熱チューブの一端は、放熱トレイに合わせて対向するくり抜き部が設けられ、互いに対応する密着を形成する。これにより、放熱チューブと放熱トレイの結合をすばやく完成できるほか、幅の広い内部設置面を構成することができる。
【０００９】
放熱トレイの側壁内面とランプシェードが接合する側壁は、それぞれ対応する嵌め合わせ構造が設けられ、放熱トレイとランプシェードをすばやく密着結合できる。
放熱トレイの側壁内面とランプシェードが接合する側壁は、それぞれ対応する嵌め込み構造が設けられ、放熱トレイとランプシェードとをすばやく密着結合できる。
【図面の簡単な説明】
【００１０】
【図１】本考案の第１実施形態によるＬＥＤ投射灯放熱口金の分解斜視図である。
【図２】本考案の第１実施形態によるＬＥＤ投射灯放熱口金の一部を示す分解斜視図である。
【図３】本考案の第１実施形態によるＬＥＤ投射灯放熱口金のランプシェードが結合される前の分解斜視図である。
【図４】本考案の第１実施形態によるＬＥＤ投射灯放熱口金を示す斜視図である。
【図５】本考案の第１実施形態によるＬＥＤ投射灯放熱口金の平面図である。
【図６】図５のＡ−Ａ線断面図である。
【図７】本考案の第１実施形態によるＬＥＤ投射灯放熱口金の組み合わせ前の状態を示す断面図である。
【図８】本考案の第２実施形態によるＬＥＤ投射灯放熱口金を示す断面図である。
【図９】本考案の第３実施形態によるＬＥＤ投射灯放熱口金を示す断面図である。
【図１０】本考案の第４実施形態によるＬＥＤ投射灯放熱口金を示す断面図である。
【図１１】本考案の第５実施形態によるＬＥＤ投射灯放熱口金を示す断面図である。
【図１２】本考案の第６実施形態によるＬＥＤ投射灯放熱口金を示す断面図である。
【図１３】本考案の第７実施形態によるＬＥＤ投射灯放熱口金を示す断面図である。
【図１４】本考案の第８実施形態によるＬＥＤ投射灯放熱口金を示す断面図である。
【図１５】本考案の実施形態によるＬＥＤ投射灯放熱口金を電気コネクタと組み合わせて、ＬＥＤ投射灯を組み合わせた斜視図である。
【考案を実施するための形態】
【００１１】
以下、本考案の実施形態によるＬＥＤ投射灯放熱口金を図面に基づいて説明する。なお、以下、複数の実施形態において、実質的に同一の構成には同一の符号を付して説明を省略する。
（第１実施形態）
図１から図６に、本考案の第１実施形態によるＬＥＤ投射灯放熱口金を示す。ＬＥＤ投射灯放熱口金は、主に、放熱チューブ１と、ヒートシンク組２と、放熱トレイ３と、ランプシェード４と、を備える。
【００１２】
そのうち、放熱チューブ１は、中空状の管体であり、管体の外周壁は、複数の取付溝１１が隣接して設けられる。取付溝１１には、ヒートシンク組２の密に分布した複数のヒートシンク２１が挿着されている。放熱チューブ１の一端は、放熱トレイ３と対応する密着を形成している。図１に示すように、放熱チューブ１の一端には、階段突起部１２が形成され、かつ複数のケーブル通し穴１２１が形成されている。
【００１３】
ヒートシンク組２は、複数のヒートシンク（放熱フィン）２１が周方向に密に設けられ、放熱チューブ１の外周壁に挿着されている。ただし、ヒートシンク２１は、形状を特定しない。
【００１４】
放熱トレイ３は、皿状に形成され、放熱チューブ１の一端と、互いに対応していて密着を形成している。図１に示すように、放熱トレイ３は、階段突起部１２に対応するセンタ穴３１が設けられる。放熱チューブ１の階段突起部１２とセンタ穴３１とには、公差が与えられているため、この公差を利用し、放熱チューブ１と放熱トレイ３との密着結合を形成し、図２に示す幅の広い内部設置面Ｆを構成する。
【００１５】
ランプシェード４は、透光性を有し、ガラスまたはプラスチックあるいはその他適切な透光性部材を使用し、図３および図４に示すように、放熱トレイ３にかぶせて結合されている。
【００１６】
図５に示すように、放熱チューブ１と、ヒートシンク組２と、放熱トレイ３と、ランプシェード４とからなるＬＥＤ投射灯放熱口金は、放熱チューブ１の一端と放熱トレイ３とが密着し結合し、幅の広い内部設置面Ｆが構成される。よって、より多い複数のＬＥＤ発光ユニット５を載せて結合することができる。
【００１７】
図１または図５に示すように、ヒートシンク組２のヒートシンク２１は、放熱トレイ３の底面で適切に選定された場所には、垂直状の折り畳みシート２１１が周方向に隣接して設けられ、リング面を形成する。リング面は、直接放熱トレイ３の底面に接触し、接触面積を増やし、熱伝導および放熱効果が強化される。
【００１８】
放熱チューブ１の一端に設けられる階段突起部１２に設けられたケーブル通し穴１２１は、もっぱらＬＥＤ発光ユニット５のケーブルをくぐらせ、放熱チューブ１の内部に進入することができる。
【００１９】
本実施形態によれば、主に放熱チューブ１の一端は、放熱トレイ３と互いに対応する密着結合を形成する。かつこの種の密着結合を利用し、幅の広い内部設置面Ｆが構成されているため、より多い複数のＬＥＤ発光ユニット５を載せて結合し、より多いＬＥＤ発光ユニットを備えた投射灯放熱口金を形成し、より良い照明効果を形成することができる。
【００２０】
図７または図８に示すように、放熱トレイ３のセンタ穴３１は、センタ穴３１の底面に、対向して延在する環状壁３１１が設けられ、放熱チューブ１の階段突起部１２と密着結合を形成する。
図７に示すように、放熱トレイ３とランプシェード４との嵌め合わせ構造が開示されている。対向する取付溝部３２と引っかけ部４１とを利用し、放熱トレイ３とランプシェード４との密着結合をすばやく完成する。本実施形態の放熱トレイ３とランプシェード４との結合方式によれば、それぞれ対応する嵌め合わせ構造を設けることによって、放熱トレイ３とランプシェード４との密着結合をすばやく完成できる。
【００２１】
（第２実施形態）
本考案の第２実施形態による投射灯放熱口金を図８に示す。
第２実施形態では、放熱トレイ３ａとランプシェード４ａとの嵌め合わせ構造が開示されている。対向された取付溝部３２ａと引っかけ部４１ａを利用し、放熱トレイ３ａとランプシェード４ａとの密着結合をすばやく完成する。本実施形態の放熱トレイ３ａとランプシェード４ａとの結合方式によれば、それぞれ対応する嵌め合わせ構造を設けることによって、放熱トレイ３とランプシェード４との密着結合をすばやく完成できる。
【００２２】
（第３実施形態、第４実施形態）
本考案の第３実施形態による投射灯放熱口金を図９、第４実施形態による投射灯放熱口金を図１０に示す。
第３実施形態および第４実施形態において、放熱トレイ３のセンタ穴３１は、例えば、単純にセンタ穴３１を設けていても、放熱チューブ１の階段突起部１２と密着結合を形成することができる。
【００２３】
（第５実施形態、第６実施形態）
本考案の第５実施形態による投射灯放熱口金を図１１、第６実施形態による投射灯放熱口金を図１２に示す。
第５実施形態において、放熱トレイ３ｂの底部には、例えば、中央突起部３３ｂが設けられる。放熱チューブ１ａの一端には、対向するくり抜き部１３ａが設けられる。放熱チューブ１ａのくり抜き部１３ａと中央突起部３３ｂとに同時に公差が与えられて、相互の公差対応によって、放熱チューブ１ａと放熱トレイ３ｂとの密着結合を形成することにより、同じく幅の広い内部設置面を構成することができる。
第６実施形態において、放熱トレイ３ｃの底部には、例えば、中央突起部３３ｃが設けられる。放熱チューブ１ａの一端には、対向するくり抜き部１３ａが設けられる。放熱チューブ１ａのくり抜き部１３ａと中央突起部３３ｃとが同時に公差が与えられて、相互の公差対応によって、放熱チューブ１ａと放熱トレイ３ｃとの密着結合を形成し、同じく幅の広い内部設置面を構成することができる。
【００２４】
（第７実施形態、第８実施形態）
本考案の第７実施形態による投射灯放熱口金を図１３、第８実施形態による投射灯放熱口金を図１４に示す。
第７実施形態において、放熱トレイ３ｄとランプシェード４ｄとの結合方式は、放熱トレイ３ｄの側壁の内面とランプシェード４ｄとが接合する側壁にて、それぞれ対応する嵌め接ぎ構造が設けられているため、放熱トレイ３ｄとランプシェード４ｄとを接着剤により結合できる。
第８実施形態において、放熱トレイ３ｅとランプシェード４ｅの結合方式は、放熱トレイ３ｅの側壁の内面とランプシェード４ｅが接合する側壁にて、それぞれ対応する嵌め接ぎ構造が設けられているため、放熱トレイ３ｅとランプシェード４とを接着剤により結合できる。
【００２５】
図１５に示すように、上記実施形態の放熱口金は、放熱口金の後部端に絶縁ブッシング付きの電気コネクタ６を挿着し、ＬＥＤ投射灯放熱口金の全体構造を構成する。ただし、電気コネクタ６またはその内部の絶縁ブッシングは、公知技術であるため、ここでの説明を省略する。
【００２６】
（他の実施形態）
本考案の設計精神によれば、放熱チューブは、必要に応じて、中実の管体とすることができる。また例えば、放熱トレイの相対端と相互の密着を形成するため、中実の管体の一端に密着溝を形成してもよい。さらに、放熱チューブの管体の形状は、丸形の管体に限らず、例えば三角形、四角形、多辺形またはその他の幾何形状も使用可能であり、特に制限しない。さらに、フィンの形状、大きさまたは規格についても、特に制限する必要はなく、任意に改変することができる。よって、同じ技術内容に基づいた、簡単な変化または等効果の置き換え行為は、なお本考案の技術的範囲に含まれる。
【符号の説明】
【００２７】
１・・・・放熱チューブ
２・・・・ヒートシンク組
３・・・・放熱トレイ
４・・・・ランプシェード
５・・・・ＬＥＤ発光ユニット
６・・・・電気コネクタ
Ｆ・・・・内部設置面
１１・・・取付溝
１２・・・階段突起部
１２１・・ケーブル通し穴
１３ａ・・くり抜き部
２１・・・ヒートシンク（放熱フィン）
２１１・・折り畳みシート
３１・・・センタ穴
３１１・・環状壁
３２・・・取付溝部
３３ｂ・・中央突起部
４１・・・引っかけ部
３ａ、３ｂ、３ｃ、３ｄ、３ｅ・・・放熱トレイ
４ａ、４ｂ、４ｄ、４ｅ・・・ランプシェード
３２ａ・・・取付溝部
３３ｃ・・・中央突起部
４１ａ・・・引っかけ部
【図１】
0003172500.tif 000003
【図２】
0003172500.tif 000004
【図３】
0003172500.tif 000005
【図４】
0003172500.tif 000006
【図５】
0003172500.tif 000007
【図６】
0003172500.tif 000008
【図７】
0003172500.tif 000009
【図８】
0003172500.tif 000010
【図９】
0003172500.tif 000011
【図１０】
0003172500.tif 000012
【図１１】
0003172500.tif 000013
【図１２】
0003172500.tif 000014
【図１３】
0003172500.tif 000015
【図１４】
0003172500.tif 000016
【図１５】
0003172500.tif 000017